(57)【要約】【課題】ユーザーの成長に対応した商品の販売情報を提供する。【解決手段】端末装置１０は、ユーザーが子供である場合、子供が使用する毎に身長を測定し、測定結果をサーバ装置２０へ送信する。サーバ装置２０は、測定結果を受信して記憶する。サーバ装置２０は、記憶している身長の履歴に基づいて所定期間後の子供の身長を予測する。サーバ装置２０は、予測した身長に対応した商品が記載されたデジタルチラシを特定し、特定したデジタルチラシを端末装置１０へ送信する。端末装置１０は、送信されたデジタルチラシを記憶し、端末装置１０を親が使用する場合、記憶しているデジタルチラシを表示する。【選択図】図１
2018055162.tif 000002
【特許請求の範囲】
【請求項１】
身長を測定する測定手段と、
自装置を使用するユーザーを特定するユーザー特定手段と、
前記ユーザー特定手段が特定したユーザーが予め定められたユーザーである場合、前記測定手段による測定結果をサーバ装置へ送信する送信手段と、
販売情報を前記サーバ装置から受信する販売情報受信手段と、
前記販売情報受信手段が受信した販売情報を表示する表示手段と
を有する端末装置と、
前記送信手段が送信した測定結果を受信する測定結果受信手段と、
前記測定結果受信手段が取得した測定結果を記憶する記憶手段と、
商品の販売情報を取得する販売情報取得手段と、
前記ユーザーの所定期間後の体型に対応した販売情報を、前記販売情報取得手段が取得した販売情報と、前記記憶手段に記憶された測定結果に基づいて特定する販売情報特定手段と、
前記販売情報特定手段が特定した販売情報を前記端末装置へ送信する販売情報送信手段と
を有するサーバ装置と
を備える情報提供システム。
【請求項２】
前記表示手段は、自装置を使用するユーザーが予め定められたユーザーとは異なる場合、前記販売情報を表示する
請求項１に記載の情報提供システム。
【請求項３】
前記販売情報特定手段は、前記測定手段で身長を測定されたユーザーの所定期間後の身長を予測し、予測した身長に対応した販売情報を特定する
請求項１又は請求項２に記載の情報提供システム。
【請求項４】
前記販売情報取得手段は、ユーザー毎にユーザーの居住地に対応した販売情報を取得する
請求項１から請求項３のいずれか一項に記載の情報提供システム。
【請求項５】
ユーザーのスケジュールを取得するスケジュール取得手段を有し、
前記販売情報特定手段は、前記販売情報取得手段が取得した販売情報の有効期間とユーザーのスケジュールに基づいて販売情報を特定する
請求項１から請求項４のいずれか一項に記載の情報提供システム。
【請求項６】
前記販売情報特定手段は、前記販売情報取得手段が取得した販売情報の有効期間と、予め定められたユーザーとは異なるユーザーのスケジュールに基づいて前記販売情報を特定する
請求項５に記載の情報提供システム。
【請求項７】
前記販売情報特定手段は、前記予め定められたユーザーを含む複数のユーザーのスケジュールに基づいて前記販売情報を特定する
請求項５に記載の情報提供システム。
【請求項８】
身長を測定する測定手段と、
自装置を使用するユーザーを特定するユーザー特定手段と、
前記ユーザー特定手段が特定したユーザーが予め定められたユーザーである場合、前記測定手段の測定結果をサーバ装置へ送信する送信手段と、
販売情報を前記サーバ装置から受信する販売情報受信手段と、
前記販売情報受信手段が受信した販売情報を表示する表示手段と
を有する端末装置。
【請求項９】
端末装置のユーザーの身長の測定結果を受信する測定結果受信手段と、
前記測定結果受信手段が取得した測定結果を記憶する記憶手段と、
商品の販売情報を取得する販売情報取得手段と、
前記ユーザーの所定期間後の体型に対応した販売情報を、前記販売情報取得手段が取得した販売情報と、前記記憶手段に記憶された測定結果に基づいて特定する販売情報特定手段と、
前記販売情報特定手段が特定した販売情報を前記端末装置へ送信する販売情報送信手段と
を有するサーバ装置。
【発明の詳細な説明】
【技術分野】
【０００１】
本発明は、情報提供システム、サーバ装置及び端末装置に関する。
【背景技術】
【０００２】
特許文献１（特開２０１２−９９０２９号公報）には、注文情報に含まれる衣服サイズが適切であるか判断するシステムが開示されている。具体的には、サーバは、人間の年齢と身長サイズとの関係を示す成長情報テーブルを記憶している。サーバは、子供服を注文する注文情報を取得すると、注文情報を取得した時点での子供服の利用者の身長を、過去の注文情報と成長情報テーブルを用いて推定し、注文情報に含まれる衣服サイズが利用者にとって適切であるか判定する。サーバは、注文情報に含まれる衣服サイズが適切ではないと判定した場合、衣服サイズの確認を促すＷｅｂページをユーザーの端末装置へ送信する。
【先行技術文献】
【特許文献】
【０００３】
【特許文献１】特開２０１２−９９０２９号公報
【発明の概要】
【発明が解決しようとする課題】
【０００４】
季節物の衣服の場合、特売のときに衣服の購入を行えば、購入の費用を抑えることができ、例えば、１年後の子供の身長に適した衣服の購入を特売のときに行えば、購入に掛かる費用を抑えることができる。特許文献１のシステムでは、注文時点において子供に適したサイズを判定できるものの、子供の将来の身長を予測することができず、子供の成長に対応したサイズの衣服の購入をサポートできない。
【０００５】
本発明は、ユーザーの成長に対応した商品の販売情報を提供することを目的とする。
【課題を解決するための手段】
【０００６】
本発明は、身長を測定する測定手段と、自装置を使用するユーザーを特定するユーザー特定手段と、前記ユーザー特定手段が特定したユーザーが予め定められたユーザーである場合、前記測定手段による測定結果をサーバ装置へ送信する送信手段と、販売情報を前記サーバ装置から受信する販売情報受信手段と、前記販売情報受信手段が受信した販売情報を表示する表示手段とを有する端末装置と、前記送信手段が送信した測定結果を受信する測定結果受信手段と、前記測定結果受信手段が取得した測定結果を記憶する記憶手段と、商品の販売情報を取得する販売情報取得手段と、前記ユーザーの所定期間後の体型に対応した販売情報を、前記販売情報取得手段が取得した販売情報と、前記記憶手段に記憶された測定結果に基づいて特定する販売情報特定手段と、前記販売情報特定手段が特定した販売情報を前記端末装置へ送信する販売情報送信手段とを有するサーバ装置とを備える情報提供システムを提供する。
【０００７】
本発明においては、前記表示手段は、自装置を使用するユーザーが予め定められたユーザーとは異なる場合、前記販売情報を表示する構成としてもよい。
【０００８】
また、本発明においては、前記販売情報特定手段は、前記測定手段で身長を測定されたユーザーの所定期間後の身長を予測し、予測した身長に対応した販売情報を特定する構成としてもよい。
【０００９】
また、本発明においては、前記販売情報取得手段は、ユーザー毎にユーザーの居住地に対応した販売情報を取得する構成としてもよい。
【００１０】
また、本発明においては、ユーザーのスケジュールを取得するスケジュール取得手段を有し、前記販売情報特定手段は、前記販売情報取得手段が取得した販売情報の有効期間とユーザーのスケジュールに基づいて販売情報を特定する構成としてもよい。
【００１１】
また、本発明においては、前記販売情報特定手段は、前記販売情報取得手段が取得した販売情報の有効期間と、予め定められたユーザーとは異なるユーザーのスケジュールに基づいて前記販売情報を特定する構成としてもよい。
【００１２】
また、本発明においては、前記販売情報特定手段は、前記予め定められたユーザーを含む複数のユーザーのスケジュールに基づいて前記販売情報を特定する構成としてもよい。
【００１３】
また、本発明は、身長を測定する測定手段と、自装置を使用するユーザーを特定するユーザー特定手段と、前記ユーザー特定手段が特定したユーザーが予め定められたユーザーである場合、前記測定手段の測定結果をサーバ装置へ送信する送信手段と、販売情報を前記サーバ装置から受信する販売情報受信手段と、前記販売情報受信手段が受信した販売情報を表示する表示手段とを有する端末装置を提供する。
【００１４】
また、本発明は、端末装置のユーザーの身長の測定結果を受信する測定結果受信手段と、前記測定結果受信手段が取得した測定結果を記憶する記憶手段と、商品の販売情報を取得する販売情報取得手段と、前記ユーザーの所定期間後の体型に対応した販売情報を、前記販売情報取得手段が取得した販売情報と、前記記憶手段に記憶された測定結果に基づいて特定する販売情報特定手段と、前記販売情報特定手段が特定した販売情報を前記端末装置へ送信する販売情報送信手段とを有するサーバ装置を提供する。
【発明の効果】
【００１５】
本発明によれば、ユーザーの成長に対応した商品の販売情報を提供することができる。
【図面の簡単な説明】
【００１６】
【図１】本発明の一実施形態に係る情報提供システム１に含まれる装置を示した図。
【図２】端末装置１０のハードウェア構成を示したブロック図。
【図３】端末装置１０で実現する機能の構成を示したブロック図。
【図４】サーバ装置２０のハードウェア構成を示したブロック図。
【図５】サーバ装置２０で実現する機能の構成を示したブロック図。
【図６】実施形態の動作例を説明するためのシーケンス図。
【発明を実施するための形態】
【００１７】
［実施形態］
（全体構成）
図１は、本発明の一実施形態に係る情報提供システム１に含まれる装置を示した図である。通信網２は、インターネットや固定電話網、音声通信やデータ通信などの通信サービスを提供する移動体通信網などを含む。通信網２には、端末装置１０が有線通信によって接続される。また、通信網２には、有線通信でサーバ装置２０が接続されている。なお、端末装置１０は、無線通信によって通信網２に接続する構成であってもよい。
【００１８】
本実施形態に係る端末装置１０は、画像を壁面やスクリーンなどの投写面に投写するプロジェクターである。端末装置１０は、家族が生活する部屋の壁面又は天井に設置される。端末装置１０は、通信網２を介してデータ通信を行い、データ通信によって取得した情報を投写面へ投写する。通信網２に接続される端末装置１０の数は、図１に示した数に限定されるものではなく、図１に示した数以上の装置を接続することができる。
サーバ装置２０は、端末装置１０の利用者へ販売に係る情報を提供する装置である。本実施形態に係るサーバ装置２０は、衣料品の販売会社のＷｅｂサイトが提供する販売情報の一例であるデジタルチラシを予め定められた周期で取得し、取得した衣料品のデジタルチラシを端末装置１０へ提供する。
【００１９】
（端末装置１０の構成）
図２は、端末装置１０のハードウェア構成の一例を示した図である。通信部１０５は、通信網２に接続されており、通信網２を介してデータ通信を行う通信インターフェースとして機能する。オーディオ部１０９は、スピーカを有している。オーディオ部１０９は、データ通信によって音を表すデータを取得した場合、取得したデータが表す音をスピーカから出力する。測定部１０７は、ユーザーの身長を超音波により測定し、測定結果を制御部１０１へ出力する。なお、実施形態においては、身長の測定を超音波を用いて測定しているが、身長を測定する方法は、超音波を用いた測定方法に限定されるものではない。本発明においては、例えば、レーザを用いて身長を測定してもよい。
【００２０】
記憶部１０２は、ユーザーのプロフィールなどのユーザーに係る情報を記憶する。例えば記憶部１０２は、家族のメンバー毎に、メンバーを認証するための暗証番号や、氏名、属性、メンバーの年齢等を記憶している。また、記憶部１０２は、データ通信によって取得したデジタルチラシを記憶する。
【００２１】
操作部１０３は、端末装置１０を操作するための複数のボタンを有している。操作部１０３は、有線で制御部１０１に接続されており、ユーザーが操作できるように、例えば壁面においてユーザーの届く位置に配置される。表示部１０８は、画像を処理する画像処理回路や映像を投写面に投写する投写光学系を有している。表示部１０８は、データ通信でＷｅｂページやデジタルチラシを取得した場合、取得したＷｅｂページやデジタルチラシを投写面に投写する。
【００２２】
検知部１０６は、表示部１０８が投写面上にあるユーザーの指の位置を検知する。具体的には、検知部１０６は、投写面上にある指に光（本実施形態では赤外光）を照射する発光部を有する。発光部は表示部１０８によって画像が投写される領域より上に設置され、下向きに光を拡散させて出射する。発光部から出射された光は、投写面に沿う光の層を形成し、投写面のほぼ全体に沿って光の層が形成される。投写面の表面と、発光部により形成される光の層とは近接していることが好ましい。投写面の表面から離れた位置にある指も照射できるように光の層は厚みを持っている。
【００２３】
また、検知部１０６は、２つの撮像部を有している。撮像部は、発光部から出射されて指で反射した赤外光を受光する撮像素子（ＣＭＯＳやＣＣＤなど）、撮像素子に像を結像する光学系、撮像素子へ入射する光を制限する絞りなどを備えている。撮像部は、投写面に投写された画像を含む範囲を撮像範囲とし、撮像した範囲の画像を生成する。検知部１０６は、２つの撮像部が生成した画像に基づいて、投写面上にあって発光部の光を反射した指の位置をステレオ方式により検知する。検知部１０６が検知した位置は、ユーザーが投写面に投写されるＧＵＩ（Graphical User Interface）の操作を行うときに使用される。なお、検知部１０６が検知するのは、指に限定されるものではなく、例えば、発光部の光を反射したペン型の指示体の位置を検知してもよい。
【００２４】
制御部１０１は、ＣＰＵ（Central Processing Unit）やＲＡＭ（Random Access Memory）を有する。ＣＰＵは、記憶部１０２に記憶されているプログラムを実行し、各部を制御する。制御部１０１は、操作部１０３において操作されたボタンに応じて各部を制御する。また、制御部１０１は、検知部１０６が検知した位置と投写面に投写されているＧＵＩに基づいてユーザーの操作を特定して各部を制御する。制御部１０１がプログラムを実行すると、Ｗｅｂブラウザの機能、家族のスケジュールを管理するスケジューラー機能、デジタルチラシを取得し、取得したデジタルチラシを投写する機能などが実現する。
【００２５】
図３は、端末装置１０において実現する機能のうち、本発明に係る機能の構成を示したブロック図である。
ユーザー特定部１００１は、端末装置１０のユーザーを特定する。本実施形態においては、ユーザー特定部１００１は、ユーザーの操作に応じてユーザーの暗証番号を取得し、取得した暗証番号と同じ暗証番号に対応付けて記憶されている属性を記憶部１０２から取得する。ユーザー特定部１００１は、取得した属性が「子供」を表す場合、ユーザーが子供であると特定し、取得した属性が「母親」又は「父親」を表す場合、ユーザーが親であると特定する。ユーザー特定部１００１は、本発明に係るユーザー特定手段の一例である。
【００２６】
送信部１００２は、ユーザー特定部１００１が特定したユーザーが子供である場合、測定部１０７が測定したユーザーの身長を、通信部１０５を制御してサーバ装置２０へ送信する。送信部１００２は、本発明に係る送信手段の一例である。
【００２７】
販売情報受信部１００３は、サーバ装置２０から送信されるデジタルチラシを受信し、受信したデジタルチラシを記憶部１０２に記憶させる。販売情報受信部１００３は、本発明に係る販売情報受信手段の一例である。
【００２８】
表示制御部１００４は、ユーザー特定部１００１が特定したユーザーが親である場合、記憶部１０２に記憶されているデジタルチラシを、表示部１０８を制御して投写面に投写する。表示制御部１００４は、本発明に係る表示制御手段の一例である。
【００２９】
（サーバ装置２０の構成）
図４は、サーバ装置２０のハードウェア構成を示した図である。通信部２０５は、通信網２を介してデータ通信を行う通信インターフェースとして機能する。記憶部２０２は、ハードディスク装置を有しており、オペレーティングシステムのプログラムや、本発明に係るプログラムなどを記憶している。本発明に係るプログラムは、複数のＷｅｂサイトから衣料品のデジタルチラシを取得し、取得したデジタルチラシを端末装置１０へ提供する機能を実現する。
【００３０】
また、記憶部２０２は、サーバ装置２０の利用者を認証するための情報や、利用者の家族の情報、Ｗｅｂサイトから取得したデジタルチラシを記憶する。本実施形態においては、記憶部２０２は、端末装置１０を使用する家族に含まれる子供の身長を、家族の情報として記憶する。
【００３１】
図５は、サーバ装置２０において実現する機能のうち、本発明に係る機能の構成を示したブロック図である。
測定結果受信部２００１は、端末装置１０が送信する身長のデータを受信し、受信したデータを記憶部２０２に記憶させる。測定結果受信部２００１は、端末装置１０が測定したユーザーの身長の測定結果を受信する測定結果受信手段の一例である。
販売情報取得部２００２は、通信網２を介して衣料品の販売会社のＷｅｂサイトにアクセスし、Ｗｅｂサイトが提供するデジタルチラシを取得する。販売情報取得部２００２は、取得したデジタルチラシを記憶部２０２に記憶させる。販売情報取得部２００２は、本発明に係る販売情報取得手段の一例である。
販売情報特定部２００３は、記憶部２０２に記憶された身長のデータから端末装置１０のユーザーである子供の所定期間後の身長を予測し、予測した身長に対応したデジタルチラシを、記憶部２０２に記憶されているデジタルチラシの中から特定する。販売情報特定部２００３は、本発明に係る販売情報特定手段の一例である。
販売情報送信部２００４は、販売情報特定部２００３が特定したデジタルチラシを、通信部２０５を制御して端末装置１０へ送信する。販売情報送信部２００４は、本発明に係る販売情報送信手段の一例である。
【００３２】
（実施形態の動作例）
次に本実施形態の動作例について、図６のシーケンス図を用いて説明する。なお、以下の説明においては、サーバ装置２０は、複数の子供の身長の履歴を記憶しており、子供服の広告を含むデジタルチラシをＷｅｂサイトから取得済みである場合を想定して動作例の説明を行う。
【００３３】
まず、端末装置１０が設置されている家で暮らす子供Ａが端末装置１０を使用するときの動作例について説明する。子供Ａは、端末装置１０を使用する場合、使用者を認証するため暗証番号の入力画面を表示させる操作を操作部１０３において行う。この操作が行われると、制御部１０１は、暗証番号の入力画面とソフトウェアキーボードの画像が壁面に投写されるように表示部１０８を制御する（ステップＳ１）。
【００３４】
投写されたソフトウェアキーボードの位置に子供Ａが指で触れると、検知部１０６は、指の位置を検知する。制御部１０１は、検知部１０６が検知した指の位置に基づいて、投写面に投写された画像に対してユーザーが行った操作を特定し、特定した操作に応じた処理を行う。例えば、制御部１０１は、ユーザーがソフトウェアキーボードの数字や文字の位置に指で触れた場合、触れた位置に表示されている文字や数字を暗証番号として取得する（ステップＳ２）。制御部１０１は、取得した暗証番号と記憶部１０２に記憶されている暗証番号を比較してユーザーの認証を行う（ステップＳ３）。
【００３５】
制御部１０１は、取得した暗証番号が記憶部１０２に記憶されている暗証番号に一致した場合、端末装置１０の使用を許可する。制御部１０１は、端末装置１０の使用を許可した場合、ユーザーの属性を特定する（ステップＳ４）。具体的には、制御部１０１は、取得した暗証番号に対応付けて記憶部１０２に記憶されている属性を取得する。制御部１０１は、取得した属性が「子供」である場合、端末装置１０の使用者が子供であると特定する。制御部１０１は、端末装置１０の使用者が子供である場合、測定部１０７を制御して子供の身長を測定する（ステップＳ５）。測定部１０７が身長の測定を終了すると、制御部１０１は、測定部１０７が測定した身長を取得する。制御部１０１は、取得した身長と、記憶部１０２に記憶されている子供Ａの氏名及び年齢を、通信部１０５を制御してサーバ装置２０へ送信する（ステップＳ６）。
【００３６】
端末装置１０が送信した身長、氏名及び年齢を通信部２０５が取得すると、制御部２０１は、通信部２０５が取得した身長、氏名及び年齢を、取得した日付と対応付けて記憶部２０２に記憶させる（ステップＳ７）。身長は、日付と共に記憶部２０２に記憶されるため、記憶部２０２に記憶された身長の履歴により、子供Ａの身長の変化を知ることができる。
【００３７】
次に制御部２０１は、記憶部２０２に記憶されている身長の履歴を使用し、端末装置１０を使用した子供Ａについて、予め定められた期間が経過した後の身長を予測する（ステップＳ８）。具体的には、制御部２０１は、端末装置１０から取得した氏名に対応する子供の身長の履歴を記憶部２０２から取得する。制御部２０１は、取得した履歴から、予め定められた期間毎の身長の変化量を特定する。
【００３８】
例えば、端末装置１０を使用している子供Ａの年齢が１０歳であって、子供Ａが６歳のときからの身長が記憶部２０２に記憶されており、子供Ａが端末装置１０を使用した月が６月である場合、６歳の６月時点から７歳の６月時点までの身長の変化量、７歳の６月時点から８歳の６月時点までの身長の変化量、８歳の６月時点から９歳の６月時点までの身長の変化量、及び９歳の６月時点から１０歳の６月時点までの身長の変化量を算出する。なお、実施形態においては、１年毎の身長の変化量を特定しているが、１年毎に限定されるものではなく、例えば、半年毎の変化量を特定してもよく、また、例えば、３ヶ月毎の変化量や２ヶ月毎の変化量を特定してもよい。
【００３９】
次に制御部２０１は、過去の身長の変化が算出した子供Ａの変化量と同様である子供を特定する。例えば、子供Ａの身長の変化量について、６歳の６月時点から７歳の６月時点までの身長の変化量が６ｃｍ、７歳の６月時点から８歳の６月時点までの身長の変化量が６ｃｍ８歳の６月時点から９歳の６月時点までの身長の変化量が７ｃｍ９歳の６月時点から１０歳の６月時点までの身長の変化量が５ｃｍである場合、制御部２０１は、記憶部２０２に記憶されている他の子供の身長の履歴を参照し、６歳の６月時点から７歳の６月時点までの身長の変化量が６ｃｍ±ａの範囲内、７歳の６月時点から８歳の６月時点までの身長の変化量が６ｃｍ±ａの範囲内８歳の６月時点から９歳の６月時点までの身長の変化量が７ｃｍ±ａの範囲内、９歳の６月時点から１０歳の６月時点までの身長の変化量が５ｃｍ±ａの範囲内である子供を特定する。本実施形態においては、±ａは、１ｃｍとするが、１ｃｍに限定されるものではなく、１ｃｍ未満又は１ｃｍを超える値であってもよい。
【００４０】
制御部２０１は、身長の変化が子供Ａと同様である子供として、例えば子供Ｂを特定すると、端末装置１０を使用している子供Ａの１年後の身長を、特定した子供Ｂの身長の履歴に基づいて予測する。例えば、子供Ｂの身長について、１０歳の６月時点から１１歳の６月時点までの変化量が５ｃｍである場合、制御部２０１は、この変化量を取得した子供Ａの身長に加算し、１年後の子供Ａの身長と予測する。制御部２０１は、例えば、端末装置１０から取得した子供Ａの身長が１３８ｃｍである場合、１年後の６月時点の身長を１４４ｃｍと予測する。
【００４１】
次に制御部２０１は、予測した身長に対応した衣料品が記載されているデジタルチラシを記憶部２０２に記憶されているデジタルチラシの中から特定する（ステップＳ９）。例えば制御部２０１は、予測した身長が１４４ｃｍであるため、１４４ｃｍ前後の身長に対応する衣料品が記載されているデジタルチラシを特定する。なお、身長の記載については、デジタルチラシについて文字認識を行うことにより、身長の記載を特定することができる。
【００４２】
次に制御部２０１は、特定したデジタルチラシを、身長のデータを送信してきた端末装置１０、即ち子供Ａが使用している端末装置１０へ送信する（ステップＳ１０）。端末装置１０においては、サーバ装置２０が送信したデジタルチラシを通信部１０５が受信すると、制御部１０１は、通信部１０５が受信したデジタルチラシを記憶部１０２に記憶させる（ステップＳ１１）。
【００４３】
次に端末装置１０を子供Ａの母親Ｃが操作する場合の動作例について説明する。母親Ｃは、端末装置１０を使用する場合、使用者を認証するため暗証番号の入力画面を表示させる操作を操作部１０３において行う。この操作が行われると、制御部１０１は、暗証番号の入力画面とソフトウェアキーボードの画像が壁面に投写されるように表示部１０８を制御する。母親Ｃが子供Ａと同様にソフトウェアキーボードの位置に指で触れると、制御部１０１は、検知部１０６が検知した指の位置に基づいて、暗証番号を取得する。制御部１０１は、取得した暗証番号と記憶部１０２に記憶されている暗証番号を比較し、認証を行う。
【００４４】
制御部１０１は、取得した暗証番号が記憶部１０２に記憶されている暗証番号に一致した場合、端末装置１０の使用を許可する。制御部１０１は、端末装置１０の使用を許可した場合、取得した暗証番号に対応付けて記憶部１０２に記憶されている属性を取得する。制御部１０１は、取得した属性が「母親」又は「父親」である場合、端末装置１０の使用者が親であると特定する。制御部１０１は、端末装置１０の使用者が親である場合、記憶部１０２に記憶されているデジタルチラシを取得し、取得したデジタルチラシが投写されるように表示部１０８を制御する。なお、制御部１０１は、取得した属性が「祖母」や「祖父」である場合、即ち、認証された者が子供以外である場合に、記憶しているデジタルチラシを投写するようにしてもよい。また、制御部１０１は、取得した属性が「子供」以外であれば、記憶しているデジタルチラシを投写するようにしてもよい。
【００４５】
親が端末装置１０を使用すると、子供服のデジタルチラシが投写面に投写されるため、親は子供Ａの衣料品についてのセール情報を投写されたデジタルチラシから得ることができる。投写されるデジタルチラシには、１年後の子供Ａの身長に対応した衣料品が記載されているため、親は子供の成長に対応したサイズの衣料品の購入を子供の成長に適したタイミングで行うことができる。
また、本実施形態においては、子供と同様の成長をした他の子供の成長に基づいて身長の予測を行うため、統計データのように平均的なデータを用いて身長を予測する場合と比較すると、個々の子供の成長に対応した予測を行うことができる。また、本実施形態によれば、ユーザーが能動的にＷｅｂサイトへアクセスしなくとも、デジタルチラシを得ることができる。
【００４６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４７】
本発明においては、端末装置１０のユーザーが居住する地域に対応したデジタルチラシをサーバ装置２０から端末装置１０へ送信するようにしてもよい。例えば、端末装置１０は、ユーザーの居住地を表す情報を記憶する。端末装置１０は、子供の身長をサーバ装置２０へ送信する際に、記憶部１０２に記憶されている居住地を表す情報をサーバ装置２０へ送信する。サーバ装置２０は、デジタルチラシについて、デジタルチラシ対応した店舗の住所をデジタルチラシに対応付けて記憶する。サーバ装置２０は、端末装置１０へ送信するデジタルチラシを特定する際に、例えば、身長と共に取得した居住地と同じ市内である店舗のデジタルチラシを、デジタルチラシに対応付けて記憶した店舗の住所に基づいて特定し、特定したデジタルチラシを端末装置１０へ送信する。この変形例によれば、端末装置１０のユーザーに近い店舗のデジタルチラシを、端末装置１０のユーザーへ提供することができ、ユーザーは、近隣の良く行く店舗で衣料品を購入することができる。また、この変形例によれば、端末装置１０のユーザーが居住する地域内に、子供に対応したデジタルチラシを提供している店舗が無い場合、デジタルチラシはサーバ装置２０から端末装置１０へ送信されないこととなる。
【００４８】
上述した実施形態においては、サーバ装置２０は、子供の身長に対応した衣料品を記載したデジタルチラシを端末装置１０へ送信しているが、デジタルチラシを送信する構成は、実施形態の構成に限定されるものではない。例えば、サーバ装置２０は、端末装置１０を使用する家族のスケジュールを記憶する。サーバ装置２０は、端末装置１０へ提供するデジタルチラシを特定する際に、デジタルチラシが対応している販売期間を特定する。また、サーバ装置２０は、端末装置１０から取得した氏名の子供が含まれる家族のスケジュールを特定する。サーバ装置２０は、特定した販売期間において、特定した家族のスケジュールに予定が入っていない場合には、スケジュールに予定が入っていない日を販売期間に含むデジタルチラシを端末装置１０へ送信する。例えば、サーバ装置２０は、あるデジタルチラシの販売期間に○月×日が含まれており、この日には家族のスケジュールに予定が入っていない場合、このデジタルチラシを、当該家族が使用する端末装置１０へ送信する。なお、サーバ装置２０は、家族のスケジュールについては、例えば、親のスケジュールのみを特定し、親のスケジュールにおいて予定が入っていない日を販売期間に含むデジタルチラシを端末装置１０へ送信するようにしてもよい。また、例えば親の少なくとも一方と子供とで予定が入っていない日を販売期間に含むデジタルチラシを端末装置１０へ送信するようにしてもよい。
この変形例によれば、販売期間において予定があって購入に行けない店舗のデジタルチラシは端末装置１０へ送信されないため、子供の親は、販売期間においてスケジュールに空きがあって利用できる店舗のデジタルチラシのみを閲覧することができる。
【００４９】
上述した実施形態においては、サーバ装置２０は、予測した子供の身長に対応したデジタルチラシを端末装置１０へ送信しているが、デジタルチラシを送信する構成は実施形態の構成に限定されるものではない。例えば、端末装置１０は、子供の体重を取得し、取得した体重のデータを身長のデータと共にサーバ装置２０へ送信する。サーバ装置２０は、端末装置１０から送信された身長と共に体重も記憶部２０２に記憶させる。サーバ装置２０は、子供の身長を予測する際に、記憶部２０２に記憶された体重の履歴から予め定められた期間後の体重も予測する。サーバ装置２０は、予測した身長及び体重に対応した衣料品が記載されているデジタルチラシを特定し、特定したデジタルチラシを端末装置１０へ送信する。この変形例によれば、身長だけでなく子供の体型に対応した衣料品を記載したデジタルチラシを子供の親へ提供することができる。
【００５０】
上述した実施形態においては、サーバ装置２０は、身長のデータを送信してきた端末装置１０へデジタルチラシを送信しているが、デジタルチラシの送信先は、身長のデータを送信してきた端末装置１０に限定されるものではない。例えば、サーバ装置２０は、端末装置１０の識別子と、デジタルチラシの送信先となる端末装置１０の識別子とを対応付けて記憶する。ここで対応付けて記憶する識別子としては、例えば、子供の親戚（祖父、祖母、叔父、叔母等）が使用する端末装置１０の識別子を記憶する。端末装置１０は、身長のデータをサーバ装置２０へ送信する際に、自身の識別子をサーバ装置２０へ送信する。サーバ装置２０は、身長のデータと共に送信された識別子を取得し、取得した識別子に対応付けて記憶されている識別子の端末装置１０に対しても、デジタルチラシを送信する。この変形例によれば、子供の親戚に対してデジタルチラシを送るため、例えば、祖父母がデジタルチラシを参照して子供の衣料品を購入し、子供に対して購入した衣料品を贈ることができる。
【００５１】
上述した実施形態においては、端末装置１０は、ユーザーが入力した暗証番号と、記憶部１０２に記憶されている属性に基づいて、ユーザーが子供であるのか親であるのかを判定しているが、ユーザーの属性を判定する方法は、実施形態の方法に限定されるものではない。例えば、端末装置１０は、家族のメンバー毎に、属性に対応付けてメンバーの身長を記憶する。端末装置１０は、ユーザーが操作を行うと測定部１０７でユーザーの身長を測定する。端末装置１０は、測定で得られた身長から予め定められた範囲内にある身長を、記憶部１０２に記憶されている身長の中から特定し、特定した身長に対応付けて記憶されている属性からユーザーが子供であるのか親であるのかを判定する。
【符号の説明】
【００５２】
１…情報提供システム、１０…端末装置、２０…サーバ装置、１０１…制御部、１０２…記憶部、１０３…操作部、１０５…通信部、１０６…検知部、１０７…測定部、１０８…表示部、１０９…オーディオ部、２０１…制御部、２０２…記憶部、２０５…通信部、１００１…ユーザー特定部、１００２…送信部、１００３…販売情報受信部、１００４…表示制御部、２００１…測定結果受信部、２００２…販売情報取得部、２００３…販売情報特定部、２００４…販売情報送信部。
【図１】
2018055162.tif 000003
【図２】
2018055162.tif 000004
【図３】
2018055162.tif 000005
【図４】
2018055162.tif 000006
【図５】
2018055162.tif 000007
【図６】
2018055162.tif 000008